(57)【要約】【課題】背凭れ部などを倒してもマッサージ部位が変わらないマッサージ装置を提供する。【解決手段】椅子１０の座部１１に着脱自在に取り付ける座部用シート２１と、椅子１０の背凭れ部１２に着脱自在に取り付ける背凭れ部用シート２２と、座部用シート２２に設けたマッサージ用のエアバッグ３２，３３と、背凭れ部用シート２１に設けたマッサージ用のエアバッグ３０，３１と、各エアバッグ３０〜３３を膨縮させる給排気装置４０とを備え、座部用シート２２と背凭れ部用シート２１とが分離している。【選択図】  図１
2004313336.tif 000002
【特許請求の範囲】
【請求項１】
椅子の座部に着脱自在に取り付ける座部用シートと、前記椅子の背凭れ部に着脱自在に取り付ける背凭れ部用シートと、前記座部用シートに設けたマッサージ用のエアバッグと、前記背凭れ部用シートに設けたマッサージ用のエアバッグと、各エアバッグを膨縮させる給排気装置とを備え、前記座部用シートと背凭れ部用シートとが分離していることを特徴とするマッサージ装置。
【請求項２】
椅子の座部に着脱自在に取り付ける座部用シートと、前記椅子の足載台に着脱自在に取り付ける足載せ用シートと、前記座部用シートに設けたマッサージ用のエアバッグと、前記足載せ用シートに設けたマッサージ用のエアバッグと、各エアバッグを膨縮させる給排気装置とを備え、前記座部用シートと足載せ用シートとが分離していることを特徴とするマッサージ装置。
【請求項３】
前記座部用シートおよび背凭れ部用シートは、それぞれ互いに重ねられるとともに前記エアバッグを挟み込んだ第１，第２クッション材と、この第１，第２クッション材を覆ったカバーとを有し、前記第１，第２クッション材の厚さまたは硬さが異なることを特徴とする請求項１に記載のマッサージ装置。
【請求項４】
前記座部用シートおよび足載せ用シートは、それぞれ互いに重ねられるとともに前記エアバッグを挟み込んだ第１，第２クッション材と、この第１，第２クッション材を覆ったカバーとを有し、前記第１，第２クッション材の厚さまたは硬さが異なることを特徴とする請求項２に記載のマッサージ装置。
【請求項５】
前記カバーは、第１クッション材側と第２クッション材側とでその厚さまたは硬さが異なることを特徴とする請求項３または請求項４に記載のマッサージ装置。
【発明の詳細な説明】
【０００１】
【発明の属する技術分野】
この発明は、例えば椅子の座部等にシートを着脱自在に取り付けてマッサージを行うマッサージ装置に関する。
【０００２】
【従来の技術】
従来から、エアバッグを有するシートを椅子の背凭れ部に取り付けてマッサージを行うマッサージ装置が知られている（特許文献１参照）。
【０００３】
かかるマッサージ装置は、図１３に示すように、エアバック１とポンプ２と電磁弁３とをシート４に設け、このシート４をベルト５で座椅子６の背凭れ部７に取り付けるようにしたものである。そして、ポンプ２および電磁弁３によってエアバッグ１を膨縮させてマッサージを行う。
【０００４】
【特許文献１】
特開２００１−２８２０８号公報（段落２０，２１、図１参照）
【０００５】
【発明が解決しようとする課題】
しかしながら、このようなマッサージ装置にあっては、背中しかマッサージを行うことができない。このため、座椅子６の座部８の上に配置されるとともにその座部８に固定される延設部をシート４に設け、この延設部にエアバッグを配置して臀部やモモのマッサージを行えるようにすればよいが、延設部に対してシート４が傾動できない場合には、座椅子６の背凭れ部７を倒せなくなってしまう。また、延設部に対してシート４が傾動できるようにした場合には、背凭れ部７を倒していくと、その背凭れ部７に対するシート４の位置がずれてしまい、マッサージ部位の位置が大きくずれてしまうという問題が生じる。さらに、延設部に対してシート４が傾動できるようにした場合、背凭れ部７を回動する度に延設部とシート４との接合部に負荷が加わるので、その接合部が破損してしまう不具合が発生する虞がある。
【０００６】
この発明の目的は、背凭れ部などを倒してもマッサージ位置が変わらないマッサージ装置を提供することにある。
【０００７】
【課題を解決するための手段】
上記目的を達成するため、請求項１の発明は、椅子の座部に着脱自在に取り付ける座部用シートと、前記椅子の背凭れ部に着脱自在に取り付ける背凭れ部用シートと、前記座部用シートに設けたマッサージ用のエアバッグと、前記背凭れ部用シートに設けたマッサージ用のエアバッグと、各エアバッグを膨縮させる給排気装置とを備え、前記座部用シートと背凭れ部用シートとが分離していることを特徴とする。
【０００８】
請求項２の発明は、椅子の座部に着脱自在に取り付ける座部用シートと、前記椅子の足載台に着脱自在に取り付ける足載せ用シートと、前記座部用シートに設けたマッサージ用のエアバッグと、前記足載せ用シートに設けたマッサージ用のエアバッグと、各エアバッグを膨縮させる給排気装置とを備え、前記座部用シートと足載せ用シートとが分離していることを特徴とする。
【０００９】
【実施の形態】
以下、この発明に係るマッサージ装置の実施の形態を図面に基づいて説明する。
【００１０】
図１および図２に示す椅子１０は、座部１１と、この座部１１の後ろに設けた背凭れ部１２と、座部１１の前に設けたフットレスト部（足載台）１３とを有している。背凭れ部１２は図示しないリクライニング機構により任意の角度に倒して固定できるようになっている。また、フットレスト部１３は後部側（図１および図２において上部側）を中心にして回動可能となっているとともに任意の回動位置に固定可能となっている。
【００１１】
マッサージ装置２０は、背凭れ部１２に取り付けた背凭れ用のシート２１と、座部１１に取り付けた座部用のシート２２と、フットレスト部１３に取り付けたフットレスト用のシート２３と、後述する各シート２１〜２３のマッサージ用のエアバッグ３０〜３５を膨縮させる給排気装置４０等とから構成されている。そして、各シート２１〜２３は互いに独立して分離している。
【００１２】
シート２１は、図３および図４に示すように、例えばウレタン等からなる基体（第１クッション材）２１Ａと、この基体２１Ａに取り付けた腰用のエアバッグ３０および背中用のエアバッグ３１と、これらエアバッグ３０，３１を覆うとともに基体２１Ａに重ねた例えばウレタン等からなるクッション材（第２クッション材）２１Ｂと、基体２１Ａおよびクッション材２１Ｂを覆う例えば布製のカバー２１Ｃ等とから構成されている。基体２１Ａの厚さはクッション材２１Ｂの厚さより厚くなっている。
【００１３】
また、カバー２１Ｃの上部には一対のベルト２１Ｄａ，２１Ｄｂが取り付けられており、カバー２１Ｃの下部には一対のベルト２１Ｅａ，２１Ｅｂが取り付けられている。各ベルト２１Ｄａ，２１Ｄｂ，２１Ｅａ，２１Ｅｂの裏面には面ファスナー２１ｆが設けられており、ベルト２１Ｄａ，２１Ｄｂは背凭れ部１２の後面の上部に取り付けた面ファスナー（図示せず）に接合し、ベルト２１Ｅａ，２１Ｅｂは背凭れ部１２の前面の下部に取り付けた面ファスナー（図示せず）に接合してシート２１を背凭れ部１２に着脱自在に取り付けるようになっている。
【００１４】
シート２２は、図７および図８に示すように、例えばウレタン等からなる基体（第１クッション材）２２Ａと、この基体２２Ａに取り付けた臀部用のエアバッグ３２およびモモ用のエアバッグ３３と、これらエアバッグ３２，３３を覆うとともに基体２２Ａに重ねた例えばウレタン等からなるクッション材（第２クッション材）２２Ｂと、基体２２Ａおよびクッション材２２Ｂを覆う例えば布製のカバー２２Ｃ等とから構成されている。基体２２Ａの厚さはクッション材２２Ｂの厚さより厚くなっている。
【００１５】
また、カバー２２Ｃの両側部には、一対のベルト２２Ｄａ，２２Ｄｂが取り付けられており、ベルト２２Ｄａの表面には面ファスナー２２ｆが設けられ、ベルト２２Ｄｂの裏面には面ファスナー２２ｇが設けられている。
【００１６】
そして、シート２２は、ベルト２２Ｄａ，２２Ｄｂにより座部１１に着脱自在に取り付けられるようになっている。この取り付けは、図５に示すようにベルト２２Ｄａの面ファスナ２２ｆとベルト２２Ｄｂの面ファスナ２２ｇとを接合することにより行う。また、椅子にパイプ等がある場合には、図６に示すようにパイプＰａ，Ｐｂにベルト２２Ｄａ，２２Ｄｂを巻き付けて、ベルト２２Ｄａの面ファスナ２２ｆ同士で接合させ、ベルト２２Ｄｂの面ファスナ２２ｇ同士で接合させることによりシート２２を取り付けてもよい。
【００１７】
シート２３は、図９および図１０に示すように、例えばウレタン等からなる基体（第１クッション材）２３Ａと、この基体２３Ａに取り付けた脹ら脛用のエアバッグ３４および足首用のエアバッグ３５と、これらエアバッグ３４，３５を覆うとともに基体２３Ａに重ねた例えばウレタン等からなるクッション材（第２クッション材）２３Ｂと、基体２３Ａおよびクッション材２３Ｂを覆う例えば布製のカバー２３Ｃ等とから構成されている。基体２３Ａの厚さはクッション材２３Ｂの厚さより厚くなっている。
【００１８】
また、カバー２３Ｃには、一対のベルト２３Ｄａ，２３Ｄｂが取り付けられており、ベルト２３Ｄａの表面には面ファスナー２３ｆが設けられ、ベルト２３Ｄｂの裏面には面ファスナー２３ｇが設けられている。このシート２３の座部１１への取り付け方はシート２２と同じなので、その説明は省略する。
【００１９】
給排気装置４０は、図１１に示すようにエアーを給気するためのポンプ４１と、給排気用の電磁弁４２〜４７と、制御装置４８等とを備えている。制御装置４８は、ＣＰＵ等から構成されリモートコントロール装置５０の操作に基づいて電磁弁４２〜４７やポンプ４１を制御するようになっている。
【００２０】
そして、電磁弁４２，４３が開成されるとシート２１のエアバッグ３０，３１はホースＨ１ａ，Ｈ１ｂを介してポンプ４１に連通してエアバッグ３０，３１に空気が給気され、電磁弁４２，４３が閉成されるとエアバッグ３０，３１はホースＨ１ａ，Ｈ１ｂを介して大気に開放されてエアバッグ３０，３１の排気が行われるようになっている。また、ホースＨ１ａ，Ｈ１ｂは一本に束ねられており、ホースＨ１ａ，Ｈ１ｂの一端はシート２１のコネクタ２１Ｆに着脱自在に接続され、ホースＨ１ａ，Ｈ１ｂの他端は給排気装置４０のコネクタ２１Ｇに着脱自在に接続されている。
【００２１】
また、電磁弁４４，４５が開成されるとシート２２のエアバッグ３２，３３はホースＨ２ａ，Ｈ２ｂを介してポンプ４１に連通してエアバッグ３２，３３に空気が給気され、電磁弁４４，４５が閉成されるとエアバッグ３２，３３はホースＨ２ａ，Ｈ２ｂを介して大気に開放されてエアバッグ３２，３３の排気が行われるようになっている。また、ホースＨ２ａ，Ｈ２ｂは一本に束ねられており、ホースＨ２ａ，Ｈ２ｂの一端はシート２２のコネクタ２２Ｆに着脱自在に接続され、ホースＨ２ａ，Ｈ２ｂの他端は給排気装置４０のコネクタ２２Ｇに着脱自在に接続されている。
【００２２】
電磁弁４６，４７が開成されるとシート２３のエアバッグ３４，３５はホースＨ３ａ，Ｈ３ｂを介してポンプ４１に連通してエアバッグ３４，３５に空気が給気され、電磁弁４６，４７が閉成されるとエアバッグ３４，３５はホースＨ３ａ，Ｈ３ｂを介して大気に開放されてエアバッグ３４，３５の排気が行われるようになっている。また、ホースＨ３ａ，Ｈ３ｂは一本に束ねられており、ホースＨ３ａ，Ｈ３ｂの一端はシート２３のコネクタ２３Ｆに着脱自在に接続され、ホースＨ３ａ，Ｈ３ｂの他端は給排気装置４０のコネクタ２３Ｇに着脱自在に接続されている。
［動  作］
次に、上記のように構成されるマッサージ装置２０の動作について説明する。
【００２３】
先ず、図１および図２に示すようにマッサージ装置２０の各シート２１〜２３を背凭れ部１２，座部１１，フットレスト部１３に取り付ける。この場合、各シート２１〜２３の基体２１Ａ〜２３Ａを裏面側にするとともに各エアバッグ３０〜３５が体の所定の部位に当たるように取り付ける。次に、各シート２１〜２３と給排気装置４０とをホースＨ１ａ，Ｈ１ｂ〜Ｈ３ａ，Ｈ３ｂで接続する。この状態のとき、各電磁弁４２〜４７は閉成されており、各エアバッグ３１〜３５は大気に開放されて収縮している。
【００２４】
そして、リモートコントロール装置５０のキースイッチ（図示せず）を操作して所望のマッサージモードを設定すると、ポンプ４１が駆動されるとともに例えば電磁弁４２が開成されてエアバッグ３０が膨張されていく。このエアバッグ３０の膨張によりクッション材２１Ｂを介して腰が押圧されていく。そして、電磁弁４２が閉成されてエアバッグ３０は収縮される。このエアバッグ３０の膨縮により、クッション材２１Ｂを介して腰のマッサージが行われる。
【００２５】
同様にして、マッサージモードに応じてエアバッグ３１〜３５が膨縮されていき、背中，臀部，モモ，脹ら脛，足首などのマッサージが行われる。
【００２６】
また、図２に示すように、マッサージ装置２０の各シート２１〜２３を背凭れ部１２，座部１１，フットレスト部１３に取り付けた後に、図１２に示すように背凭れ部１２を倒したりフットレスト部１３を回動させても、各シート２１〜２３は互いに分離されているので、背凭れ部１２，座部１１，フットレスト部１３に対する取り付け位置がずれてしまうことがない。すなわち、背凭れ部１２やフットレスト部１３を回動させても、各エアバッグ３０〜３５が押圧する部位の位置（マッサージ位置）が大きくずれない。このため、背凭れ部１２やフットレスト部１３を回動させた後、再度各シート２１〜２３を取り付け直す必要がない。
【００２７】
さらに、各シート２１〜２３は互いに分離されて接続されていないことにより、背凭れ部１２やフットレスト部１３を回動させても、従来のようにシートの接続部に負荷が加わってその接続部が破損してしまうという不具合は生じない。
【００２８】
また、フットレスト部１３が回動できる構成になっていない椅子の場合であっても、そのフットレスト部１３に対してシート２３の取り付け位置を調整することができるので、使用者の好みに合わせてシート２３をフットレスト部１３に取り付けることができ、マッサージ装置２０は大変使用勝手のよいものとなる。
【００２９】
各シート２１〜２３を裏返して背凭れ部１２，座部１１，フットレスト部１３に取り付けると、すなわち各シート２１〜２３の基体２１Ａ〜２３Ａを表側にし、クッション材２１Ｂ〜２３Ｂを裏側にして取り付けると、基体２１Ａ〜２３Ａの厚さがクッション材２１Ｂ〜２３Ｂの厚さより厚いことにより、エアバッグ３１〜３５が膨張した際の押圧力が弱くなる。つまりマッサージの感触が異なることになる。
【００３０】
このように、基体２１Ａ〜２３Ａとクッション材２１Ｂ〜２３Ｂの厚さを変えていることにより、各シート２１〜２３を裏返して取り付けるだけで、マッサージの感触を変えることができる。
【００３１】
上記実施形態では、基体２１Ａ〜２３Ａとクッション材２１Ｂ〜２３Ｂの厚さを変えているが、この厚さを変えずに基体２１Ａ〜２３Ａとクッション材２１Ｂ〜２３Ｂの硬さを変えてもよく、またカバー２１Ｃ〜２３Ｃの表側（クッション材２１Ｂ〜２３Ｂ側）と裏側（基体２１Ａ〜２３Ａ側）とで厚さや硬さを変えて、裏返して取り付けた際のマッサージの感触が異なるようにしてもよい。
【００３２】
また、上記実施形態では、各シート２１〜２３を椅子１０の背凭れ部１２，座部１１，フットレスト部１３に取り付けた場合について説明したが、フトンに取り付けてもよい。この場合、各シート２１〜２３が分離されていることにより身長に合わせて各シート２１〜２３を取り付けることができるので、身長の大きさに拘わらず所定の各部位をマッサージすることができる。また、上記実施形態では、３つのシート２１〜２３を有しているが、シート２１，２２またはシート２２，２３の２つのシートだけであってもよい。
【００３３】
【発明の効果】
以上説明したように、この発明によれば、背凭れ部を倒してもマッサージ位置が大きく変わってしまうことがない。
【００３４】
また、フットレスト部を回動させてもマッサージ位置が大きく変わってしまうことがない。
【図面の簡単な説明】
【図１】この発明にかかるマッサージ装置を取り付けた椅子を示した斜視図である。
【図２】図１に示す椅子を示した側面図である。
【図３】図１に示すマッサージ装置の背凭れ用のシートを示した平面図である。
【図４】図３に示す背凭れ用のシートの構成を示した断面図である。
【図５】座部用のシートの取り付け方を示した説明図である。
【図６】座部用のシートの他の取り付け方を示した説明図である。
【図７】座部用のシートを示した平面図である。
【図８】座部用のシートの構成を示した断面図である。
【図９】フットレスト用のシートを示した平面図である。
【図１０】フットレスト用のシートの構成を示した断面図である。
【図１１】マッサージ装置の構成を示したブロック図である。
【図１２】背凭れ部およびフットレスト部を所定の回動位置に固定した椅子を示した説明図である。
【図１３】従来のマッサージ装置を示した説明図である。
【符号の説明】
１０                                        椅子
１１                                        座部
１２                                        背凭れ部
１３                                        フットレスト部
２１                                        シート（背凭れ部用シート）
２２                                        シート（座部用シート）
２３                                        シート（フットレスト部用シート）
３０〜３５                            エアバッグ
４０                                        給排気装置。
【図１】
2004313336.tif 000003
【図２】
2004313336.tif 000004
【図３】
2004313336.tif 000005
【図４】
2004313336.tif 000006
【図５】
2004313336.tif 000007
【図６】
2004313336.tif 000008
【図７】
2004313336.tif 000009
【図８】
2004313336.tif 000010
【図９】
2004313336.tif 000011
【図１０】
2004313336.tif 000012
【図１１】
2004313336.tif 000013
【図１２】
2004313336.tif 000014
【図１３】
2004313336.tif 000015